(57)【要約】【課題】互いに重なる周波数帯を有すると共に夫々周波数帯の重なる異なる偏波の組から構成されている２衛星からの信号を１本の信号ケーブルで受信端に伝送する。【解決手段】一方の衛星からの信号を第１衛星受信アンテナ１２で受信してＩＦ変換し、他方の衛星からの信号を第２衛星受信アンテナ１３で受信してＩＦ変換すると共に異なる偏波信号同士をブロックコンバータ１４で一方の衛星の信号周波数帯を挟むように大きく分離して周波数変換し、双方の衛星の受信信号を１本の信号ケーブル１６で受信側へ伝送した。受信側では信号切替器２０に設けたコンバータ部３１で、他方の衛星の伝送信号をブロックコンバータ１４で変換する前の周波数帯に再変換してＪＣＳＡＴ用チューナ２７で受信可能とした。【選択図】　図１
2004007505.tif 000002
【特許請求の範囲】
【請求項１】
重複する周波数を有する異なる偏波の組から成る第１の衛星信号を受信する第１衛星受信アンテナと、
受信した第１の衛星信号を異なる偏波同士で周波数の重複部が無いように周波数変換して出力する第１周波数変換手段と、
同様に重複する周波数を有する異なる偏波の組から成る第２の衛星信号を受信する第２衛星受信アンテナと、
受信した第２の衛星信号の異なる偏波同士で周波数の重複部が無いように、且つ前記第１周波数変換手段の出力信号周波数帯と重複しない周波数帯に周波数変換して出力する第２周波数変換手段と、
第１及び第２周波数変換手段の出力信号を混合する混合手段と、
混合した第１及び第２周波数変換手段の出力信号を受信側に伝送する１本の信号ケーブル或いは１組の送受信装置と、
受信側にて伝送されてきた前記第２周波数変換手段で変換したＩＦ信号を第１周波数変換手段の出力信号周波数帯との周波数帯に周波数変換する第３周波数変換手段と、
を備えたことを特徴とする衛星信号受信伝送システム。
【請求項２】
第２周波数変換手段が、第１周波数変換手段と同一の構成の前段周波数変換手段と、第１周波数変換手段の出力周波数帯を周波数軸上で挟持するように前記前段周波数変換手段の出力信号を更に周波数変換する後段周波数変換手段とから成る請求項１記載の衛星信号受信伝送システム。
【請求項３】
混合した第１及び第２周波数変換手段の出力信号を１本の信号ケーブルで受信側に伝送する場合に、後段周波数変換手段と第３周波数変換手段のローカル周波数が同一の１個のローカル周波数である請求項２記載の衛星信号受信伝送システム。
【請求項４】
後段周波数変換手段が具備するローカル周波数信号を、受信信号を伝送する信号ケーブルに出力し、第３周波数変換手段が前記ローカル周波数信号を受けて第３周波数変換手段のローカル周波数とした注入同期発信器を具備する請求項３記載の衛星信号受信伝送システム。
【請求項５】
混合した第１及び第２周波数変換手段の出力信号を１組の送受信装置により受信側に無線伝送する場合に、前記送受信装置は、第１及び第２周波数変換手段からの出力信号をミリ波に周波数変換して無線伝送する送信装置と、該送信装置からの電波を受信すると共にミリ波変換前の周波数に変換して出力する受信装置とから成る請求項１又は２記載の衛星信号受信伝送システム。
【請求項６】
異なる周波数帯に周波数変換して伝送されてきた２つの衛星受信信号を重複する周波数帯に周波数変換して、同一の出力端子から一方の衛星受信信号を選択して出力する信号切替器であって、
伝送されてきた信号を入力する１つの信号入力端子と少なくとも１つの信号出力端子を有し、入力された信号を少なくとも衛星毎の信号に分波する分波器と、分波した一方の衛星受信信号を他方の衛星受信信号に重なる周波数帯に周波数変換するコンバータ部と、前記周波数変換した一方の衛星受信信号と他方の衛星受信信号とを選択して何れか一方を出力端子から出力させる出力切替手段とを備えたことを特徴とする信号切替器。
【請求項７】
コンバータ部で周波数変換した一方の衛星受信信号を複数に分配する第１分配器と、他方の衛星受信信号を前記第１分配器の分配数と同数に分配する第２分配器と、該分配数と同数の出力切替手段及び出力端子を有し、前記第１及び第２分配器の各出力で対を形成して、各出力切替手段により何れか一方を選択して出力端子から出力させる請求項６記載の信号切替器。
【発明の詳細な説明】
【０００１】
【発明の属する技術分野】
本発明は、衛星放送或いは衛星信号を受信して伝送する衛星信号受信伝送システムに関し、特に周波数帯が重複している２衛星の信号を受信する衛星信号受信伝送システム、及びそのシステムに好適な信号切替器に関する。
【０００２】
【従来の技術】
放送，通信に利用されている衛星としてはＢＳ衛星、ＣＳ衛星の他、スカイパーフェクＴＶ（登録商標）として利用されているＪＣＳＡＴ−３、ＪＣＳＡＴ−４等の衛星が知られているが、放送，通信に使用されている衛星数は更に増加する傾向にある。
このような衛星放送或いは衛星信号を受信する衛星信号受信伝送システムとして、特許文献１に開示された受信伝送システムがある。これは、例えばＢＳ，ＪＣＳＡＴ−４衛星信号を地上波放送信号と共に１本の信号ケーブルで伝送すると共に、互いに周波数帯に重なり部を有する２つの衛星信号（例えば、ＪＣＳＡＴ−３衛星信号とＣＳ信号）を夫々異なる信号ケーブルで伝送し、４つの衛星信号及び地上波放送信号を合計３本の信号ケーブルで伝送して受信する構成のシステムである。
【０００３】
【特許文献１】
特開平１１−２９８８１０号公報
【０００４】
【発明が解決しようとする課題】
しかし、上記システムは受信衛星数に対して１本少ない信号ケーブルで受信端に伝送できるものの、３本の信号ケーブルが必要であるため、信号ケーブルの引込み及び配線は相変わらず厄介であるし、各部屋には夫々の信号ケーブルに対応した３個のテレビ端子が必要であった。更に、ＪＣＳＡＴ−３とＪＣＳＡＴ−４の双方の信号を受信する場合には各テレビ端子に受信信号を切替える衛星切替手段が必要であった。
【０００５】
そこで、本発明は上記問題点に鑑み、例えばＪＣＳＡＴ−３，ＪＣＳＡＴ−４の衛星信号のように互いに重なる周波数帯を有すると共に、各々重なる周波数を有する偏波の組から構成されている２衛星の信号を、１本の信号ケーブル又は１組の送受信装置で受信端に伝送することを可能とすることで、受信信号を受信端へ伝送するための信号ケーブルを更に削減する衛星信号受信伝送システムを提供すると共に、受信端の各テレビ端子に信号切換手段を必要としないための信号切替器を提供することを目的とする。
【０００６】
【課題を解決するための手段】
上記課題を解決するため、請求項１の発明に係る衛星信号受信伝送システムは、重複する周波数を有する異なる偏波の組から成る第１の衛星信号を受信する第１衛星受信アンテナと、受信した第１の衛星信号を異なる偏波同士で周波数の重複部が無いように周波数変換して出力する第１周波数変換手段と、同様に重複する周波数を有する異なる偏波の組から成る第２の衛星信号を受信する第２衛星受信アンテナと、受信した第２の衛星信号の異なる偏波同士で周波数の重複部が無いように、且つ前記第１周波数変換手段の出力信号周波数帯と重複しない周波数帯に周波数変換して出力する第２周波数変換手段と、第１及び第２周波数変換手段の出力信号を混合する混合手段と、混合した第１及び第２周波数変換手段の出力信号を受信側に伝送する１本の信号ケーブル或いは１組の送受信装置と、受信側にて伝送されてきた前記第２周波数変換手段で変換したＩＦ信号を第１周波数変換手段の出力信号周波数帯と略同一の周波数帯に周波数変換する第３周波数変換手段と、を備えたことを特徴とする。
【０００７】
この衛星信号受信伝送システムによれば、２つの衛星信号が互いに重複する周波数帯を有し、且つ各々の衛星信号も重複する周波数を有する異なる偏波の組からなる信号であっても、全ての受信信号の重複部を無くして受信側に伝送するので、例えば１本の信号ケーブル或いはケーブル無しで同時に全ての信号を伝送できる。従って、例えばＪＣＳＡＴ−３とＪＣＳＡＴ−４の衛星信号を、ＢＳ，ＣＳ等の他の衛星信号と合わせて、４衛星の信号を２本以内のケーブル数で伝送することが可能となる。
そして、受信側にて第２周波数変換手段でＩＦ変換（周波数変換）した第２の衛星信号を、第１の衛星信号のＩＦ変換周波数と略同一の周波数帯に変換するので、従来の規格化されたチューナで双方の衛星信号を受信することが可能であり、システムを安価に構成できる。
【０００８】
請求項２の発明は、請求項１の発明において、第２周波数変換手段が、第１周波数変換手段と同一の構成の前段周波数変換手段と、第１周波数変換手段の出力周波数帯を周波数軸上で挟持するように前記前段周波数変換手段の出力信号を更に周波数変換する後段周波数変換手段とから成ることを特徴とする。
この構成によれば、第１衛星受信アンテナと第２衛星受信アンテナを同一の構成にできるので、互換性を持たせてシステムを安価に構成できる。
【０００９】
請求項３の発明は、請求項２の発明において、混合した第１及び第２周波数変換手段の出力信号を１本の信号ケーブルで受信側に伝送する場合に、後段周波数変換手段と第３周波数変換手段のローカル周波数が同一の１個のローカル周波数であることを特徴とする。
この構成によれば、後段周波数変換手段と第３周波数変換手段のローカル周波数が同一の１個の周波数であるので、局部発信器が夫々１個で良いし、然も同一のものが使用できコストの削減が図れる。
【００１０】
請求項４の発明は、請求項３の発明において、後段周波数変換手段が具備するローカル周波数信号を受信信号を伝送する信号ケーブルに出力し、第３周波数変換手段が前記ローカル周波数信号を受けて第３周波数変換手段のローカル周波数とした注入同期発信器を具備することを特徴とする。
この構成によれば、更に第３周波数変換手段と後段後段周波数変換手段の同期を図る同期回路が必要なく、後段周波数変換手段の回路構成を簡略化できる。
【００１１】
請求項５の発明は、請求項１又は２の発明において、混合した第１及び第２周波数変換手段の出力信号を１組の送受信装置により受信側に無線伝送する場合に、前記送受信装置は、第１及び第２周波数変換手段からの出力信号をミリ波に周波数変換して無線伝送する送信装置と、該送信装置からの電波を受信すると共にミリ波変換前の周波数に変換して出力する受信装置とから成ることを特徴とする。
この構成によれば、信号ケーブルの配線はアンテナから送信装置までと、受信装置から端末に設けられた受信装置までの短区間で済み、信号伝送路の途中を無線化するので、信号ケーブルの引き込み工事を簡略化できる。更に、１つの送信装置で複数の家屋に受信信号を伝送できるので、各家屋へ分配する分配器や分岐器が必要無くなり、配線工事を格段に簡略化できる。また、受信装置にてミリ波変換前の周波数に再変換するので、既存の信号ケーブルを用いたシステムから容易に変更できる。
【００１２】
請求項６の発明に係る信号切替器は、異なる周波数帯に周波数変換して伝送されてきた２つの衛星受信信号を重複する周波数帯に周波数変換して、同一の出力端子から一方の衛星受信信号を選択して出力する信号切替器であって、伝送されてきた信号を入力する１つの信号入力端子と少なくとも１つの信号出力端子を有し、入力された信号を少なくとも衛星毎の信号に分波する分波器と、分波した一方の衛星受信信号を他方の衛星受信信号に重なる周波数帯に周波数変換するコンバータ部と、前記周波数変換した一方の衛星受信信号と他方の衛星受信信号とを選択して何れか一方を出力端子から出力させる出力切替手段とを備えたことを特徴とする。
この信号切替器によれば、入力された信号のうち１つの衛星信号の分離された２つの周波数帯の信号を独立して周波数変換することができ、１つの衛星信号の２つの周波数帯の信号を任意の周波数帯にＩＦ変換して入力しても、規格化されたチューナで受信可能な周波数帯に変換することが可能である。
【００１３】
請求項７の発明は、請求項６の発明において、コンバータ部で周波数変換した一方の衛星受信信号を複数に分配する第１分配器と、他方の衛星受信信号を前記第１分配器の分配数と同数に分配する第２分配器と、該分配数と同数の出力切替手段及び出力端子を有し、前記第１及び第２分配器の各出力で対を形成して、各出力切替手段により何れか一方を選択して出力端子から出力させることを特徴とする。
この構成によれば、周波数変換してから複数に分配するので、個々の出力に対してコンバータを設けること無く周波数変換が必要であった衛星信号を受信でき、各受信端の接続機器の構成を簡略化できる。
【００１４】
【発明の実施の形態】
以下、本発明を具体化した実施の形態を、図面に基づいて詳細に説明する。図１は本発明に係る衛星信号受信伝送システムの第１実施形態を示すブロック図であり、図２はこのシステムにおける受信周波数の変化を説明する周波数スペクトラムを示している。
【００１５】
図１において、１はＶＨＦアンテナ、２はＵＨＦアンテナ、３はＢＳ信号及び１１０°ＣＳ信号を受信する第３の衛星受信アンテナであり、ＶＨＦ受信信号とＵＨＦ受信信号は混合器４で混合され、混合機能を有する第１ブースタ５に入力される。また、第３の衛星受信アンテナ３で受信したＢＳ，ＣＳ信号は内蔵するコンバータにより図２（ａ）に示す周波数帯にＩＦ変換されて出力され、第１ブースター５に入力される。具体的には、ＢＳ信号は１０３２〜１４８９ＭＨｚの周波数帯にＩＦ変換され、ＣＳ右偏波信号は１５９５〜２０７１ＭＨｚにＩＦ変換され、ＣＳ左偏波信号は２１２６〜２６０２ＭＨｚにＩＦ変換される。
【００１６】
第１ブースター５の出力は、１本の同軸ケーブルから成る信号ケーブル１０で伝送され、例えば引込む住戸の数に応じて分岐器６ａ，６ｂにより分岐して引込まれ、引込まれた住戸内では分配器７が設けられ、例えば部屋数に応じて分配されている。そして、分配された各信号は受信端となる２端子から成るテレビ端子１１のうち一方の第１テレビ端子１１ａに接続される。この第１テレビ端子１１ａには分岐器２４が設けられ、一方の分岐出力がＢＳ／ＣＳチューナ２５に接続されてテレビ受像器２６に接続され、他方の分岐出力は直接テレビ受像器２６に接続される。こうして、地上波放送信号及びＢＳ，ＣＳ信号が受信できる。
【００１７】
１２はＪＣＳＡＴ−３衛星からの衛星信号を受信する第１衛星受信アンテナであり、内蔵する第１周波数変換手段としてのコンバータ１２ａにより図２（ｂ）に示す周波数帯の信号をＩＦ変換して出力する。ここでは垂直偏波信号を１０４８〜１５３３ＭＨｚの周波数帯で出力し、水平偏波信号を１５９０〜２０７０ＭＨｚの周波数帯で出力している。
また、１３はＪＣＳＡＴ−４衛星からの衛星信号を受信する第２衛星受信アンテナであり、図２（ｂ）に示す周波数帯の信号をＩＦ変換して出力する前段周波数変換手段としてのコンバータ１３ａを備え、第１衛星受信アンテナ１２と同様に垂直偏波信号を１０４８〜１５３３ＭＨｚの周波数帯で出力し、水平偏波信号を１５９０〜２０７０ＭＨｚの周波数帯で出力している。
【００１８】
そして、第２衛星受信アンテナ１３の出力信号は、後段周波数変換手段としてのブロックコンバータ１４にて図２（ｃ）の周波数スペクトラムに示す周波数帯に更に周波数変換される。垂直偏波信号は２０８８〜２５７３ＭＨｚの周波数帯に、水平偏波信号は５５０〜１０３０ＭＨｚの周波数帯に周波数変換され、第１衛星受信アンテナの出力信号を周波数軸上で挟持するように分離配列され、混合器１５で混合されて１本の信号ケーブル１６で受信端に向けて伝送される。尚、コンバータ１３ａとブロックコンバータ１４とで第２周波数変換手段１９を構成している。
【００１９】
信号ケーブル１６は途中に第２ブースタ１７が設けられ、伝送信号が増幅されると共に引込む住戸数に応じて分岐器１８ａ，１８ｂで分岐され、各住戸に伝送されて引込まれる。そして、受信側である住戸内では第３周波数変換手段を内蔵した後述する信号切替器２０に接続され、内蔵した分配器により４分配されて出力される。その出力は、上記第１テレビ端子１１ａに隣接して設けられた受信端を構成する第２テレビ端子１１ｂに接続され、この第２テレビ端子１１ｂはＪＣＳＡＴ−３及びＪＣＳＡＴ−４を受信するＪＣＳＡＴ用チューナ２７に接続された後テレビ受像器２６に接続される。こうして、ＪＣＳＡＴ−３及びＪＣＳＡＴ−４が受信できる。
【００２０】
信号切替器２０は、図３のブロック図に示すように構成され、３０は分波器、３１は第３周波数変換手段としてのコンバータ部、３２は混合器、３３ａは４分配する第２分配器、３３ｂは４分配する第１分配器、３４は出力切替手段としての出力切替器である。分波器３０は、入力された図２（ｃ）に示す受信信号を第１から第３の３つに分波出力する。第１分波出力３０ａは、図２（ｃ）のＢ１の周波数帯即ちＪＣＳＡＴ−３の信号を出力し、第２分波出力３０ｂはＢ２の周波数帯即ちＪＣＳＡＴ−４の低周波側の水平偏波信号を出力し、第３分波出力３０ｃはＢ３の周波数帯即ちＪＣＳＡＴ−４の高周波側の垂直偏波信号を出力している。
【００２１】
そして、第１分波出力３０ａは第２分配器３３ａで４分配され、夫々出力切替器３４の一方のポートに接続されている。また、第２及び第３分波出力３０ｂ，３０ｃは第３周波数変換手段であるコンバータ部３１（３１ａ，３１ｂ）で周波数変換される。コンバータ部３１は、ブロックコンバータ１４と同一のローカル周波数を出力する１個の局部発信器を有し、図２（ｄ）に示すようにブロックコンバータ１４で周波数変換する前の周波数帯に再変換され、ＪＣＳＡＴ−３の信号周波数帯と同一の周波数帯となる。
コンバータ部３１で周波数変換された信号は、混合器３２で混合された後、第１分配器３３ｂで４分配され、出力切替器３４の他方のポートに接続される。
【００２２】
出力切替器３４はリレーで構成され、例えばパルス信号からなる衛星識別信号で切替動作し、この信号は受信端の第２テレビ端子１１ｂに接続されるＪＣＳＡＴ用チューナ２７から信号線を介して出力される。衛星識別信号は、信号線路に介在させた分離回路３５ａで分離されてリレー制御回路３５ｂに入力され、リレー制御回路３５ｂを動作させて出力切替器３４を切替動作させている。
【００２３】
こうして、ＪＣＳＡＴ−３の受信信号は、第１衛星受信アンテナ１２から規格化された周波数帯にＩＦ変換して出力され、その後周波数変換されずに受信端まで伝送されるので、受信端で周波数変換することなく規格化されたＪＣＳＡＴ用チューナ２７で受信することができる。また、ＪＣＳＡＴ−４の受信信号は、第１衛星受信アンテナ１２と同様に、第２衛星受信アンテナ１３で受信してＩＦ変換した後、周波数軸上で大きく分離して伝送されるが、受信側のコンバータ部３１で再変換してアンテナ出力時の周波数配列に戻すので、同様に規格化されたＪＣＳＡＴ用チューナで受信可能となる。従って、ＪＣＳＡＴ用チューナ２７の操作でＪＣＳＡＴ−３の信号とＪＣＳＡＴ−４の信号を選択して受信できる。
【００２４】
このように、互いに重複する周波数帯を有し、且つ個々に重複する周波数を有する異なる偏波の組からなるＪＣＳＡＴ−３及びＪＣＳＡＴ−４の衛星信号であっても、ＪＣＳＡＴ−４の受信信号の異なる偏波同士をＪＣＳＡＴ−３の衛星の受信信号を周波数軸上で跨ぐように大きく分離して異なる周波数帯に配列するため、１本の信号ケーブルで双方の信号を伝送することができる。また、例えばＢＳ，ＣＳ等の他の衛星信号を１本の信号ケーブルで伝送することで４衛星の信号を２本のケーブルで伝送でき、少ない信号ケーブルで４衛星の受信信号を伝送することができる。
また、受信側にて一方の大きく分離した衛星信号を周波数軸上で近接配置して伝送された他方の衛星信号と同様の周波数帯に変換するので、個々のテレビ端子にコンバータを設けること無く従来の規格化されたチューナで受信することが可能となるし、分配器の上流に衛星切換手段として出力切替器を設けたので各テレビ端子毎に衛星切換手段を設ける必要が無く、各受信端の接続機器の構成を簡略化できる。
【００２５】
更に、第１衛星受信アンテナと第２衛星受信アンテナを同一の構成にできるので、コストを削減できるし、ブロックコンバータと信号切替器のコンバータ部の局部発信器は夫々１個で良いし、ローカル周波数は同一の周波数なので同一のものが使用でき、更にシステムのコスト削減が図れる。
また、上記信号切替器によれば、入力された信号のうち１つの衛星信号の２つの周波数帯の信号を周波数変換するコンバータ部を備えるので、アンテナ側で１つの衛星信号の２つの周波数帯の信号を、任意の周波数帯にＩＦ変換して入力しても、従来の規格化されたチューナで受信可能な周波数帯に変換することが可能で、システムに拡張性がある。
【００２６】
尚、上記実施形態は、ＢＳ，ＣＳを混合して１つの信号ケーブルで、ＪＣＳＡＴ−３，ＪＣＳＡＴ−４を混合して１つの信号ケーブルで伝送しているが、この組合せは変えても良く、例えばＢＳとＪＣＳＡＴ−３の信号を１本の信号ケーブルで伝送し、ＣＳとＪＣＳＡＴ−４を１本の信号ケーブルで伝送しても良い。但しこの場合、ブロックコンバータや信号切替器のコンバータ部のローカル周波数は上記数値とは異なった値となる。
また、第２衛星受信アンテナ１３のコンバータ１３ａとブロックコンバータ１４は一体に形成し、アンテナに内蔵するコンバータで直接図２（ｃ）に示す周波数帯に変換しても良く、そうすればブロックコンバータは必要なくなる。
更に、信号切替器２０の分配数は４つでなくても良く、部屋の数や接続するテレビ端子数に合わせて増減すればよい。
【００２７】
図４，図５はブロックコンバータ１４及び信号切替器２０のコンバータ部３１の他の構成例を示すブロック図であり、ブロックコンバータ１４は、図４に示すように１つの局部発信器３６を有しているが、このローカル周波数信号をバンドパスフィルタ３７を介して混合器１５が接続された受信端側にも信号ケーブルを介して出力している。
信号切替器２０のコンバータ部３１は、図５に示すように信号ケーブル１６から送られてきたブロックコンバータ１４のローカル周波数信号が、バンドパスフィルタ３７により抽出されて増幅回路３８を介して局部発信器３９に送られている。そして、局部発信器３９は、上記ブロックコンバータ１４のローカル周波数に同期して作動する注入同期発信器となっている。
このように、信号ケーブルにより受信端へ信号を伝送する場合、ブロックコンバータ１４のローカル周波数で信号切替器のコンバータ部３１を同期させることができ、そうすることでコンバータ部に同期回路を設ける必要が無くなりコンバータ部の構成を簡略化できる。尚、本実施形態ではローカル周波数を、周波数及びその高周波が受信信号の帯域内に入らないよう１０４０ＭＨｚを採用している。
【００２８】
図６は信号切替器の他の例を示している。この信号切替器４１は、上記図３の実施形態のようにテレビ端子の上流側ではなく、受信端となるテレビ端子（図１に示す第２テレビ端子１１ｂ）に接続する形態となっている。図示するように、分配器を持たない点が異なり、テレビ端子を多く必要としない場合は、このように信号切替器の出力端子を１つにしてテレビ端子毎に装着する形態としても良く、接続するＪＣＳＡＴ用チューナの切替信号によりＪＣＳＡＴ−３とＪＣＳＡＴ−４を選択して受信できる。
【００２９】
図７は、本発明に係る衛星信号受信伝送システムの第２実施形態を示すブロック図であり、上記図１の第１実施形態との主な相違点は、第１衛星受信アンテナ１２で受信するＪＣＳＡＴ−３衛星の信号及び第２衛星受信アンテナ１３で受信するＪＣＳＡＴ−４衛星の信号を混合する混合器１５から各住戸へ向けて伝送する信号を信号ケーブルを用いずに無線伝送している点である。尚、図１と同一の構成要件には同一の符号を付与し、説明を省略する。
【００３０】
無線伝送は、ＩＦ変換してアンテナ側から伝送される信号を、ミリ波、例えば５９ＧＨｚ〜６６ＧＨｚの周波数に変換して電波受信端に向けて伝送している。このとき使用される送信装置４３及び受信装置４４は、図８，図９のブロック図に示すよに構成されている。
送信装置４３は、図８に示すように、局部発信器４６、ＰＬＬ回路（フェイズロックループ回路）４７、ＶＣＯ回路（電圧制御形発信回路）４８、逓倍回路４９、混合器５０からなるコンバータ回路を有し、ＶＣＯ回路４８で３０ＧＨｚを発生し、逓倍回路４９で６０ＧＨｚにして変換周波数を生成している。そして、入力された受信信号は、信号ケーブルの途中に設けられた電源挿入器５２から重畳された電源成分を電源分離フィルタ５３により分離し、信号がイコライザ回路５４、増幅回路５５を介して混合器５０にてミリ波に周波数変換される。そして、周波数変換された信号はバンドパスフィルタ回路５６、増幅回路５７を介して送信アンテナ５８から受信信号を再送信している。
尚、電源挿入器５２へは、別途設けた商用電源に接続された電源装置５９から電力が供給され、電源装置は送信装置４３の他にアンテナ１２，１３のコンバータ回路の動作電力を供給している。
【００３１】
受信装置４４は、図９に示すように、局部発信器６１、ＰＬＬ回路（フェイズロックループ回路）６２、ＶＣＯ回路（電圧制御形発信回路）６３、逓倍回路６４、混合器６５からなるコンバータ回路を有し、ＶＣＯ回路６３で３０ＧＨｚを発生し、逓倍回路６４で６０ＧＨｚにして変換周波数を生成している。そして、受信アンテナ６６で受信した再送信信号を、増幅回路６７を介して混合器６５にてミリ波変換前のＩＦ周波数に周波数変換している。そして、周波数変換された信号はバンドパスフィルタ６８、増幅回路６９、イコライザ回路７０、更にはハイパスフィルタ７１、電源分離フィルタ７２を介して接続された信号ケーブルに出力される。電源分離フィルタ７２は、例えばＪＣＳＡＴ用チューナ２７から信号ケーブルを介して送られてくる電力信号を分離して、受信装置４４の動作電源を得るために設けられている。
【００３２】
このように信号伝送路を途中無線とするので、信号ケーブルの配線はアンテナから送信装置までと、受信装置から住戸内の受信端までだけで良いし、１つの送信装置で複数の住戸に受信信号を伝送できるので分配器や分岐器が必要無くなり、配線工事を格段に簡略化できる。
また、伝送信号周波数に重複部がないので、送信電波を偏波で構成する必要が無く、受信装置を簡易な構成にできるし、ミリ波を使用することで、周囲の電波施設に影響を及ぼすこともない。
更に、受信装置にてミリ波変換前の周波数に再変換するので、既存の信号ケーブルを用いたシステムを、受信機器を変更することなく容易に無線システムに変更できるし、送信装置１台に対して任意の数の受信装置を設けて受信できるので、受信住戸数の増加に対しても容易に対応できる。
また、既に地上波又はＣＡＴＶとＢＳ等を共同受信している集合住宅等においては、例えば各住戸のベランダに向けて屋上等に送信アンテナを配置すれば、各住戸のベランダに受信アンテナを設置するだけで信号ケーブルを追加敷設することなく容易にＪＣＳＡＴ−３及びＪＣＳＡＴ−４を個々の住戸で受信することが可能となる。
【００３３】
図１０は第２実施形態の変形例を示し、第１衛星受信アンテナ１２及び第２衛星受信アンテナ１３からの信号に加えて、地上波及びＢＳ，ＣＳ信号も合わせて無線伝送する構成となっている。図１０において、７５はブロックコンバータ、７６はダウンコンバータであり、送信装置４３及び受信装置４４は図９のものと同一のものが使用されている。
地上波，ＢＳ及びＣＳ信号は、図２（ａ）に示すように１０３２〜２６０２ＭＨｚのＩＦ信号で第３衛星受信アンテナ３から伝送されるため、図２（ｃ）に示すＩＦ変換された第１及び第２衛星受信アンテナ１２，１３からの信号と周波数帯が重なっている。そこで、ブロックコンバータ７５により、例えば２．６ＧＨｚの局発周波数で、ＪＣＳＡＴ−３及びＪＣＳＡＴ−４のＩＦ信号帯と重ならない周波数帯に変換する。こうすることで、１台の送信装置により地上波を含めた全ての受信信号の無線伝送が可能となる。
【００３４】
一方、受信装置４４にて受信した地上波，ＢＳ及びＣＳ信号は、分波器７７によりＪＣＳＡＴ−３及びＪＣＳＡＴ−４の信号と分離されてダウンコンバータ７６により周波数変換前のＩＦ周波数帯に再変換する。
このように、全ての受信信号の伝送を無線とすることも可能で、受信後にブロックコンバータ７５で変換する前の周波数に再変換することで、従来のＢＳチューナ或いはＣＳチューナで受信できるし、既存の受信システムを無線伝送に変更する際に信号ケーブルを無線設備に換えるだけの最小の設備変更で対応できる。
また、新たに衛星信号受信伝送システムを設置する場合であっても、信号ケーブルの敷設はアンテナから送信装置までと、屋内の端末から屋外に設置する受信装置までの短区間で済み、設置工事が短期間で済む。
【００３５】
尚、地上波、ＢＳ及びＣＳの信号を伝送する信号ケーブルにブロックコンバータ及びダウンコンバータを介在させて、第１及び第２衛星受信アンテナからの伝送信号周波数帯と異なる周波数帯に周波数変換する場合、無線とせずに１本の信号ケーブルを使用しても良く、この場合は受信端側に引き込む住戸の数に応じた分配器或いは分岐器が必要となるが、途中は１本の信号ケーブルで済む。
【００３６】
また、図１１は、上記図２（ｃ）に示す第２衛星受信アンテナ１３の出力信号をブロックコンバータ１４にて周波数変換する他の形態を示している。第２衛星受信アンテナ１３で受信する信号周波数帯が図１の実施形態に比べて、図１１（ａ）に示すように略２分の１と狭い場合は、図１１に示すように、単に第１衛星受信アンテナ１２の出力信号周波数帯より低い周波数帯に全体を周波数変換しても良い。この場合、信号切替器２０のコンバータ部３１では図１１（ｃ）に示すように周波数変換前の周波数に変換すればよい。
このように、第２衛星受信アンテナ１３で受信する偏波信号の周波数帯が狭い場合は、第１衛星受信アンテナ１２の出力信号を周波数軸上で挟持するように分配配列せずに、単に周波数軸上で平行移動させても良い。
【００３７】
尚、上記実施形態は、何れもＢＳ，ＣＳ，ＪＣＳＡＴ−３，ＪＣＳＡＴ−４の４つの衛星信号を受信する構成を示しているが、本発明はこの衛星に限定するものでなく、第１及び第２の衛星信号が、重なる周波数帯を有すると共に夫々異なる偏波の組から構成されている場合は上記システムを適用することで１本の信号ケーブルで双方の衛星信号を伝送でき、良好に受信することができる。
【００３８】
【発明の効果】
以上詳述したように、本発明に係る衛星信号受信伝送システムによれば、２つの衛星信号が互いに重複する周波数帯を有し、且つ各々の衛星信号も重複する周波数を有する異なる偏波の組からなる信号であっても、全ての受信信号の重複部を無くして受信側に伝送するので、例えば１本の信号ケーブル或いは信号ケーブル無しで同時に全ての信号を伝送できる。従って、ＢＳ，ＣＳ等の他の衛星信号を１本の信号ケーブルで伝送すれば、４衛星の信号を２本以内の少ないケーブル数で伝送することが可能となる。
そして、受信側にて第２周波数変換手段で周波数変換（ＩＦ変換）した第２の衛星信号を、第１の衛星信号のＩＦ変換周波数と略同一の周波数帯に変換するので、従来の規格化されたチューナで双方の衛星信号を受信することが可能である、システム構成を安価なものにできる。
【００３９】
また、信号伝送路を途中無線とすれば、アンテナの受信電波をＩＦ変換した後から各住戸の引き込み口まで信号ケーブルを配設する必要が無くなるし、１つの送信装置で複数の住戸に受信信号を伝送できるので分配器や分岐器が必要無くなり、配線工事を格段に簡略化できる。また、電波にミリ波を使用し、受信後は変換前の周波数に再変換するので、既存の信号ケーブルを用いた受信端の設備そのまま使用できる。
【００４０】
更に、本発明に係る信号切替器によれば、入力された信号のうち１つの衛星信号の分離された２つの周波数帯の信号を独立して周波数変換することができ、１つの衛星信号の２つの周波数帯の信号を任意の周波数帯にＩＦ変換して入力しても、規格化されたチューナで受信可能な周波数帯に変換することが可能である。
【図面の簡単な説明】
【図１】本発明に係る衛星信号受信伝送システムの第１実施形態を示すブロック図である。
【図２】図１の受信信号周波数の変化を示す周波数スペクトラムであり、（ａ）は地上波とＩＦ変換後のＢＳ，ＣＳの伝送信号、（ｂ）はアンテナが出力するＩＦ変換したＪＣＳＡＴ−３及びＪＣＳＡＴ−４の衛星信号、（ｃ）はＩＦ変換したＪＣＳＡＴ−４の信号を更にブロックコンバータで周波数変換してＪＣＳＡＴ−３の信号と混合した際の伝送信号、（ｄ）は信号切替器出力の信号を示している。
【図３】図１に示す信号切替器のブロック図である。
【図４】ブロックコンバータの他の例を示すブロック図である。
【図５】信号切替器コンバータ部の他の例を示すブロック図である。
【図６】信号切替器の他の例を示すブロック図である。
【図７】本発明の衛星信号受信伝送システムの第２実施形態を示すブロック図である。
【図８】図７に示す送信装置のブロック図である。
【図９】図７に示す受信装置のブロック図である。
【図１０】図７の衛星信号伝送システムの変形例を示すブロック図である。
【図１１】受信信号周波数の変化を示す周波数スペクトラムの他の例を示し、（ａ）はアンテナが出力するＩＦ変換したＪＣＳＡＴ−３及びＪＣＳＡＴ−４の衛星信号、（ｂ）はＩＦ変換したＪＣＳＡＴ−４の信号を更にブロックコンバータで周波数変換してＪＣＳＡＴ−３の信号と混合した際の伝送信号、（ｃ）は信号切替器出力の信号を示している。
【符号の説明】
１２・・第１衛星受信アンテナ、１２ａ・・第１周波数変換手段としてのコンバータ、１３・・第２衛星受信アンテナ、１３ａ・・前段周波数変換手段としてのコンバータ、１４・・後段周波数変換手段としてのブロックコンバータ、１５・・混合器、１６・・信号ケーブル、１９・・第２周波数変換手段、２０・・信号切替器、２７・・ＪＣＳＡＴ用チューナ、３０・・分波器、３１・・第３周波数変換手段としてのコンバータ部、３２・・混合器、３３ａ・・第２分配器、３３ｂ・・第１分配器、３４・・出力切替器、４１・・信号切替器、４３・・送信装置、４４・・受信装置、７５・・ブロックコンバータ、７６・・ダウンコンバータ。
【図１】
2004007505.tif 000003
【図２】
2004007505.tif 000004
【図３】
2004007505.tif 000005
【図４】
2004007505.tif 000006
【図５】
2004007505.tif 000007
【図６】
2004007505.tif 000008
【図７】
2004007505.tif 000009
【図８】
2004007505.tif 000010
【図９】
2004007505.tif 000011
【図１０】
2004007505.tif 000012
【図１１】
2004007505.tif 000013